(57)【要約】【課題】洗浄液の噴射態様に影響を及ぼすことなく、ウォッシャノズルの噴射方向を調整可能なウォッシャノズル取付構造を提供する。【解決手段】カウルパネル３には、内側にノズル装着部１５が設けられ、ガラス側壁部１１に洗浄液の噴射を行うための開口部１２が設けられる。ウォッシャノズル３０は、噴射孔を開口部１２側に有し、ノズル装着部１５を構成する装着片１９及び上部支持片２２に支持させるための後側下部当接部３５及び前側上部当接部４５を有する。また、ウォッシャノズル３０には、ノズル装着部１５を構成する装着壁部１６に係止されその係止部（突起２１）と当接部３５，４５とに弾性力を付与してノズル装着部１５に弾性力を以て装着させる前側弾性片４１が設けられる。角度調整部材５０は、前側上部当接部４５と上部支持片２２との間に介在され、その操作に基づきウォッシャノズル３０の姿勢を変更する。【選択図】図３
2008155662.tif 000002
【特許請求の範囲】
【請求項１】
車両のフロントガラスの下部に配設されるカウルパネルに、前記フロントガラスの払拭面に向かって洗浄液を噴射するためのウォッシャノズルを取り付ける取付構造であって、
前記カウルパネルは、内側に前記ウォッシャノズルが装着されるノズル装着部を有するとともに、前記払拭面と対向するガラス側壁部に前記ウォッシャノズルからの前記洗浄液の噴射を行うための開口部を有し、
前記ウォッシャノズルは、前記洗浄液の供給を受け、前記開口部側に装着される後部に設けられた噴射孔からその供給された前記洗浄液を噴射するものであり、前記ノズル装着部に支持させるための第１及び第２支持部を少なくとも有するとともに、前記ノズル装着部に係止されその係止部と前記第１及び第２支持部とにそれぞれ弾性力を付与して前記ノズル装着部に弾性力を以て装着させる弾性片を有し、
前記第１及び第２支持部のいずれか一方と前記ノズル装着部との間に介在される角度調整部材を備え、その角度調整部材の操作に基づいて前記第１及び第２支持部のいずれか他方と前記ノズル装着部との当接部分を支点として前記ウォッシャノズルの姿勢を変更し、前記洗浄液の噴射方向を調整する構成としたことを特徴とするウォッシャノズル取付構造。
【請求項２】
請求項１に記載のウォッシャノズル取付構造において、
前記ウォッシャノズルは、略直方体形状をなしており、前記第１支持部は前記ウォッシャノズルの後部に、前記第２支持部は前記ウォッシャノズルの上部に、前記弾性片は前記ウォッシャノズルの前部にそれぞれ設けられていることを特徴とするウォッシャノズル取付構造。
【請求項３】
請求項２に記載のウォッシャノズル取付構造において、
前記角度調整部材は、前記ウォッシャノズルの上部に配置されて前記第２支持部と前記ノズル装着部との間に介在され、前記ウォッシャノズルにおける前後方向の操作に基づいて前記第１支持部と前記ノズル装着部との当接部分を支点として前記ウォッシャノズルの姿勢を変更することを特徴とするウォッシャノズル取付構造。
【請求項４】
請求項１〜３のいずれか１項に記載のウォッシャノズル取付構造において、
前記角度調整部材は、前記カウルパネルに設けられる支持孔を通じて前記ウォッシャノズルが装着される内側から外側に突出するように該支持孔に対して進退可能に支持され、進退による操作により前記ウォッシャノズルの姿勢が変更されることを特徴とするウォッシャノズル取付構造。
【請求項５】
請求項１〜４のいずれか１項に記載のウォッシャノズル取付構造において、
前記角度調整部材は、自身が介在される側の前記第１又は第２支持部と前記ノズル装着部とが対向する方向に対して交差する方向に移動可能に前記カウルパネルに対して支持され、その前記支持部及び前記ノズル装着部の少なくとも一方との当接部分が移動方向に対して傾斜する斜面部にて構成されることを特徴とするウォッシャノズル取付構造。
【請求項６】
請求項１〜５のいずれか１項に記載のウォッシャノズル取付構造において、
前記角度調整部材及び前記カウルパネルには、前記角度調整部材をその移動方向に沿って段階的に保持する保持手段が設けられていることを特徴とするウォッシャノズル取付構造。
【請求項７】
請求項１〜６のいずれか１項に記載のウォッシャノズル取付構造において、
前記ウォッシャノズルの前記弾性片及び前記ノズル装着部の相互の当接部分の少なくとも一方が、前記角度調整部材の移動に追従して係止する係止面にて構成されていることを特徴とするウォッシャノズル取付構造。
【発明の詳細な説明】
【技術分野】
【０００１】
本発明は、車両のフロントガラス（ウインドシールドガラス）に洗浄液を噴射するためのウォッシャノズルを該フロントガラスの下部に配設されるカウルパネルに取り付ける、その取付構造に関するものである。
【背景技術】
【０００２】
従来、車両のフロントガラスに洗浄液を噴射するウォッシャノズルをそのフロントガラスの下部に配設されるカウルパネルに取り付ける構造としたものが知られている。このようなウォッシャノズルにおいても、フロントガラスでの洗浄液の着水点を調整するため、ウォッシャノズルの噴射方向が調整可能に構成されている。
【０００３】
例えば特許文献１では、車両側に取り付けるノズルボディと、該ノズルボディに対して可動可能に取り付けられ噴射孔を有するノズル部とでウォッシャノズルを構成し、そのノズル部の可動により洗浄液の着水点の調整を行うように構成されている。
【特許文献１】特開２００２−６７８８７号公報
【発明の開示】
【発明が解決しようとする課題】
【０００４】
しかしながら、ノズル部を可動させることで、ノズルボディに形成された洗浄液供給のための供給流路に対するノズル部側の供給口の角度が変化する。すると、そのノズル部の供給口付近の洗浄液の流れが乱れ、このような内部での洗浄液の乱れが予め設定されたノズル部の噴射孔の噴射態様（噴射角度や散開形状等）に悪影響を与えてしまう。
【０００５】
本発明は、上記課題を解決するためになされたものであって、その目的は、洗浄液の噴射態様に影響を及ぼすことなく、ウォッシャノズルの噴射方向を調整可能なウォッシャノズル取付構造を提供することにある。
【課題を解決するための手段】
【０００６】
上記課題を解決するために、請求項１に記載の発明は、車両のフロントガラスの下部に配設されるカウルパネルに、前記フロントガラスの払拭面に向かって洗浄液を噴射するためのウォッシャノズルを取り付ける取付構造であって、前記カウルパネルは、内側に前記ウォッシャノズルが装着されるノズル装着部を有するとともに、前記払拭面と対向するガラス側壁部に前記ウォッシャノズルからの前記洗浄液の噴射を行うための開口部を有し、前記ウォッシャノズルは、前記洗浄液の供給を受け、前記開口部側に装着される後部に設けられた噴射孔からその供給された前記洗浄液を噴射するものであり、前記ノズル装着部に支持させるための第１及び第２支持部を少なくとも有するとともに、前記ノズル装着部に係止されその係止部と前記第１及び第２支持部とにそれぞれ弾性力を付与して前記ノズル装着部に弾性力を以て装着させる弾性片を有し、前記第１及び第２支持部のいずれか一方と前記ノズル装着部との間に介在される角度調整部材を備え、その角度調整部材の操作に基づいて前記第１及び第２支持部のいずれか他方と前記ノズル装着部との当接部分を支点として前記ウォッシャノズルの姿勢を変更し、前記洗浄液の噴射方向を調整する構成としたことをその要旨とする。
【０００７】
この発明では、カウルパネルには、内側にウォッシャノズルが装着されるノズル装着部が設けられ、フロントガラスの払拭面と対向するガラス側壁部にウォッシャノズルからの洗浄液の噴射を行うための開口部が設けられる。これに対し、ウォッシャノズルは、カウルパネルの開口部側に装着される後部の噴射孔から洗浄液を噴射し、ノズル装着部に支持される第１及び第２支持部を少なくとも有するとともに、ノズル装着部に係止されその係止部と第１及び第２支持部とにそれぞれ弾性力を付与してノズル装着部に弾性力を以て装着させる弾性片を有している。角度調整部材は、その第１及び第２支持部のいずれか一方とノズル装着部との間に介在され、その角度調整部材の操作に基づいて第１及び第２支持部のいずれか他方とノズル装着部との当接部分を支点としてウォッシャノズルの姿勢が変更され、洗浄液の噴射方向が調整される。つまり、ウォッシャノズルを支持するノズル装着部との間に角度調整部材を介在させ、その角度調整部材の操作に基づきノズル装着部に対するウォッシャノズル全体の姿勢を変更して洗浄液の噴射方向を調整するため、ノズルボディにノズル部を可動可能に取り付けて構成されたウォッシャノズルのように内部での洗浄液の流れに乱れが生じることがなく、予め設定された噴射孔の噴射態様（噴射角度や散開形状等）に影響を与えない。
【０００８】
請求項２に記載の発明は、請求項１に記載のウォッシャノズル取付構造において、前記ウォッシャノズルは、略直方体形状をなしており、前記第１支持部は前記ウォッシャノズルの後部に、前記第２支持部は前記ウォッシャノズルの上部に、前記弾性片は前記ウォッシャノズルの前部にそれぞれ設けられていることをその要旨とする。
【０００９】
この発明では、ウォッシャノズルは、後部に設けられる第１支持部、上部に設けられる第２支持部、及び前部に設けられる弾性片にてノズル装着部に装着される。つまり、ウォッシャノズルの装着部分を側面視（噴射方向に対する側方視）で３箇所と少ないながらも、各装着部分を前後部及び上部とし略直方体形状をなすウォッシャノズルの形状に対してバランスよく配置されるため、ウォッシャノズルをノズル装着部に対して安定して装着できる。
【００１０】
請求項３に記載の発明は、請求項２に記載のウォッシャノズル取付構造において、前記角度調整部材は、前記ウォッシャノズルの上部に配置されて前記第２支持部と前記ノズル装着部との間に介在され、前記ウォッシャノズルにおける前後方向の操作に基づいて前記第１支持部と前記ノズル装着部との当接部分を支点として前記ウォッシャノズルの姿勢を変更することをその要旨とする。
【００１１】
この発明では、角度調整部材は、ウォッシャノズルの上部に配置され同じく上部に設けた第２支持部とノズル装着部との間に介在され、該ノズルにおける前後方向の操作に基づいてウォッシャノズルの姿勢が変更される。つまり、角度調整部材は、ウォッシャノズルの上部に設けた第２支持部とノズル装着部との間に介在すべく、該ノズルの上部にしかも前後方向に移動可能に配置されることから、角度調整部材及び該調整部材を配置する部分を簡素に構成可能である。
【００１２】
請求項４に記載の発明は、請求項１〜３のいずれか１項に記載のウォッシャノズル取付構造において、前記角度調整部材は、前記カウルパネルに設けられる支持孔を通じて前記ウォッシャノズルが装着される内側から外側に突出するように該支持孔に対して進退可能に支持され、進退による操作により前記ウォッシャノズルの姿勢が変更されることをその要旨とする。
【００１３】
この発明では、角度調整部材は、カウルパネルに設けられる支持孔にて該パネルの外側に突出させて支持され、そのカウルパネルの外側に突出する部位にて進退させることで、ウォッシャノズルの姿勢が変更される。これにより、角度調整部材のカウルパネルの外側に突出する部位での操作は容易なことから、ウォッシャノズルの姿勢の変更を容易に行うことが可能である。尚、角度調整部材のカウルパネルの外側に突出する部位は、ボンネット等の内側に隠蔽して通常時では露出させず、ボンネットの開時にのみ露出させるのが誤操作を防止する等の点で好ましい。
【００１４】
請求項５に記載の発明は、請求項１〜４のいずれか１項に記載のウォッシャノズル取付構造において、前記角度調整部材は、自身が介在される側の前記第１又は第２支持部と前記ノズル装着部とが対向する方向に対して交差する方向に移動可能に前記カウルパネルに対して支持され、その前記支持部及び前記ノズル装着部の少なくとも一方との当接部分が移動方向に対して傾斜する斜面部にて構成されることをその要旨とする。
【００１５】
この発明では、角度調整部材は、自身が介在される側の支持部とノズル装着部との少なくとも一方における当接部分がその調整部材の移動方向に対して傾斜する斜面部で構成されるため、ウォッシャノズル（噴射方向）の角度を調整する手段を容易に形成できる。
【００１６】
請求項６に記載の発明は、請求項１〜５のいずれか１項に記載のウォッシャノズル取付構造において、前記角度調整部材及び前記カウルパネルには、前記角度調整部材をその移動方向に沿って段階的に保持する保持手段が設けられていることをその要旨とする。
【００１７】
この発明では、角度調整部材及びカウルパネルに設けられる保持手段により、角度調整部材が移動方向に沿って段階的に保持されるため、ウォッシャノズル（噴射方向）の角度の調整を容易に行うことが可能である。
【００１８】
請求項７に記載の発明は、請求項１〜６のいずれか１項に記載のウォッシャノズル取付構造において、前記ウォッシャノズルの前記弾性片及び前記ノズル装着部の相互の当接部分の少なくとも一方が、前記弾性片による弾性力の付与を継続的に行うべく前記角度調整部材の移動に追従して係止する係止面にて構成されていることをその要旨とする。
【００１９】
この発明では、ウォッシャノズルの弾性片及びノズル装着部の相互の当接部分の少なくとも一方が、角度調整部材の移動に追従して係止する係止面とされて、弾性片による弾性力の付与が継続的に行われる。これにより、角度調整部材を操作して移動させても、ウォッシャノズルの装着状態を常に安定させることが可能である。
【発明の効果】
【００２０】
本発明によれば、洗浄液の噴射態様に影響を及ぼすことなく、ウォッシャノズルの噴射方向を調整可能なウォッシャノズル取付構造を提供することができる。
【発明を実施するための最良の形態】
【００２１】
以下、本発明を具体化した一実施の形態を図面に従って説明する。
図１及び図２に示すように、車両のフロントガラス１の下部とボンネット２との間には、車幅方向に長い形状をなす樹脂製のカウルパネル３が配設されている。カウルパネル３には、フロントガラス１の払拭面１ａを払拭する一対の車両用ワイパ４を駆動するためのピボット軸（図示略）が挿通されている。また、カウルパネル３は、上方に凸となるように屈曲された凸状部１０が長手方向に連続して設けられ、該凸状部１０はフロントガラス１に対向するガラス側壁部１１を有している。ガラス側壁部１１には、カウルパネル３の長手方向（車幅方向）の所定の２箇所に、それぞれ略矩形状の開口部１２が設けられている。各開口部１２は、カウルパネル３の凸状部１０の内側に配置されるウォッシャノズル３０から払拭面１ａへの洗浄液Ｗの噴射を可能としている。
【００２２】
カウルパネル３の凸状部１０の内側には、上方に凹設した形状をなす凹設部１３が設けられている。凹設部１３には、各開口部１２が設けられる部分において、それぞれウォッシャノズル３０を装着するためのノズル装着部１５が設けられている。ノズル装着部１５は、図３及び図５に示すように、カウルパネル３（凹設部１３）の内側面から下方に板状に延出されウォッシャノズル３０の前部を装着させるための装着壁部１６を有している。装着壁部１６は、その幅方向両側から連結壁部１７，１８を介して前記ガラス側壁部１１と連結し、各壁部１１，１６〜１８にてウォッシャノズル３０を収容する四角筒状をなしている。ガラス側壁部１１における開口部１２の下縁部には、両側が各連結壁部１７，１８と接続されつつ装着壁部１６側に板状に延出されウォッシャノズル３０の後部を装着させるためのノズル装着部１５を構成する装着片１９が形成されている。
【００２３】
ウォッシャノズル３０は、図３及び図４に示すように、樹脂製で略直方体形状に形成され、装着壁部１６に装着される前部が車両前方側に、装着片１９に装着される後部が車両後方側（フロントガラス１側）に向けて装着される。
【００２４】
ウォッシャノズル３０の後部から説明すると、ウォッシャノズル３０の後面中央には、矩形状に開口するチップ嵌挿孔３１が形成されている。チップ嵌挿孔３１は、ウォッシャノズル３０の前側に延びている。チップ嵌挿孔３１には、略直方体形状をなすノズルチップ（流体素子）３２が着脱可能に装着される。ノズルチップ３２は、後端部（チップ嵌挿孔３１の開口側）に洗浄液Ｗを噴射する噴射孔３３が形成されている。ノズルチップ３２は、噴射孔３３に通じる主流路（図示略）と、該主流路の下流側から上流側に連通されるフィードバック流路（図示略）とを有し、そのフィードバック流路を介して洗浄液Ｗを主流路に戻すことで主流路内の洗浄液Ｗを自励発振させ、噴射孔３３から払拭面１ａに対する洗浄液Ｗの噴射を拡散噴射とするものである。このようなノズルチップ３２は例えば車種毎に設けられ、ウォッシャノズル３０のボディを複数の車種間で共用可能としている。
【００２５】
ウォッシャノズル３０の後側下縁部には、凸状の後側下部当接部３５が形成されている。後側下部当接部３５は、ウォッシャノズル３０の後側下縁部に幅方向全体に亘り連続して設けられている。この後側下部当接部３５は、前記開口部１２下縁に設けた装着片１９の上面と当接する。後側下部当接部３５の若干前方側におけるウォッシャノズル３０の下面には、該ノズル３０の幅方向全体に亘り連続して凸状をなす規制当接部３６が設けられている。規制当接部３６は、後述する前側弾性片４１の弾性力にてカウルパネル３の装着片１９の先端面に押圧されて当接し、ウォッシャノズル３０の取付姿勢を安定させる。
【００２６】
規制当接部３６よりも更に前方側には、ウォッシャノズル３０よりも若干幅狭の後側弾性片３７が設けられている。後側弾性片３７は、先端部が後側下部当接部３５の近傍位置となるまで後方に向けて延出され、先端部に設けた凸状の当接部３８がカウルパネル３の装着片１９の下面と当接する。この場合、後側弾性片３７の自身の弾性力により、該弾性片３７の先端の当接部３８と後側下部当接部３５とでカウルパネル３の装着片１９を上下方向で弾性的に挟持し、ウォッシャノズル３０の後部が装着片１９に対して装着される。また、後側弾性片３７の先端の当接部３８は、後側下部当接部３５と上下方向（垂直方向）で対向するように設けたため、前側弾性片４１の弾性力がウォッシャノズル３０を側方から見て上下方向に振動しないようになっている。
【００２７】
一方、ウォッシャノズル３０の前部では、その下面側の幅方向中央に、ノズル３０の前方斜め下方に向けて円筒状に延びるホース装着部４０が設けられている。ホース装着部４０には、ウォッシャタンク（図示略）からの洗浄液Ｗの供給を受けるためのゴム製のホース５が装着される（図２参照）。ここで、ウォッシャノズル３０の前部を装着するカウルパネル３の装着壁部１６の幅方向中央下端には、そのホース５との干渉を防止するための切欠部２０が設けられている。ホース５が装着されるホース装着部４０内の流路は、前記ノズルチップ３２の主流路の基端部（噴射孔３３と反対側）に繋がっている。そして、ホース５を通じて洗浄液Ｗがウォッシャノズル３０に供給されることで、該ノズル３０の噴射孔３３から払拭面１ａに対して洗浄液Ｗの拡散噴射がなされる。
【００２８】
ウォッシャノズル３０の前部両側には、それぞれ前方斜め下方に向けて延出される前側弾性片４１が設けられている。前側弾性片４１の略中央には、ウォッシャノズル３０の前方に向けて略三角形状に突出する係止突起４２が形成されている。係止突起４２の下側斜面は係止面４３とされ、該係止面４３は前方斜め下方に向く平面をなしている。ここで、カウルパネル３の装着壁部１６には、前記切欠部２０の両側に、各前側弾性片４１と係止する係止突起２１がそれぞれ設けられている。各前側弾性片４１は、その係止突起４２の係止面４３が装着壁部１６の係止突起２１に掛け止められる。この場合、前側弾性片４１の弾性力により、前記規制当接部３６の当接方向に弾性力が付与されて規制当接部３６がカウルパネル３の装着片１９の先端面に押圧されるとともに、後述する前側上部当接部４５の当接方向に弾性力が付与されて前側上部当接部４５が後述する角度調整部材５０を介して上部支持片２２の下面に押圧されて、ウォッシャノズル３０がカウルパネル３（ノズル装着部１５）に装着される。
【００２９】
前側弾性片４１の先端部は操作部４４となっており、該操作部４４は、前側弾性片４１を後方側に傾動させて係止突起４２と装着壁部１６の係止突起２１との係止状態を解除する。即ち、このような操作により、ウォッシャノズル３０のカウルパネル３（ノズル装着部１５）からの取り外しが可能となっている。
【００３０】
ウォッシャノズル３０の上面には、該ノズル３０の幅方向全体に亘り連続する断面半円状の前側上部当接部４５が形成されている。また、この前側上部当接部４５の若干後方側には、幅方向中央に凸状をなす規制当接部４６が形成されている。ここで、カウルパネル３（凹設部１３）の内側面には、下方に向けて延出、即ち装着されたウォッシャノズル３０上面の前側上部当接部４５に向けて延出される板状の上部支持片２２が設けられている。上部支持片２２は、ガラス側壁部１１と連結する一対の連結壁部２３，２４にて所定の剛性が確保されている。この上部支持片２２とウォッシャノズル３０の前側上部当接部４５との間には、角度調整部材５０が介在される。
【００３１】
角度調整部材５０は、図３及び図６に示すように、樹脂製で略長方形板状をなしており、カウルパネル３の凸状部１０を構成するガラス側壁部１１とは反対側の前側外壁部１４にて支持されている。詳しくは、前側外壁部１４に設けられる装着壁部１６よりも上側には、角度調整部材５０が嵌挿される断面四角形状の支持孔１４ａが形成されており、該支持孔１４ａにて角度調整部材５０の中央部が支持されている。角度調整部材５０は、その基端部に把持部５１が構成されており、該把持部５１を含む基端側が支持孔１４ａからカウルパネル３の凸状部１０の外側に突出している。角度調整部材５０は、支持孔１４ａに対して前後方向に進退可能に支持される。尚、カウルパネル３の前側外壁部１４から突出する角度調整部材５０の基端部は、ボンネット２の下側に位置している。つまり、角度調整部材５０の基端部は、ボンネット２の閉時において車両外側に露出せず、ボンネット２の開時においてのみ作業者が基端部の把持部５１を把持して操作可能となるように露出する。
【００３２】
角度調整部材５０の長手方向中央の両側部には、前後方向（進退方向）に複数の保持凹部５２がそれぞれ並んで形成されている。これに対し、角度調整部材５０を支持する支持孔１４ａの両側壁にその保持凹部５２と嵌合する保持凸部１４ｂが形成されている。つまり、角度調整部材５０は、複数の保持凹部５２と支持孔１４ａの保持凸部１４ｂとで前後方向に段階的に保持可能とされている。
【００３３】
角度調整部材５０の先端部は、先細となるように下面が斜面状をなし、その部位がウォッシャノズル３０の上面に設けた前側上部当接部４５と当接する斜面部５３とされている。この前側上部当接部４５と斜面部５３とが当接する状態では、角度調整部材５０の先端上面５４がカウルパネル３の上部支持片２２の下面と当接している。また、角度調整部材５０の先端端面５５においては、ウォッシャノズル３０の上面に設けた規制当接部４６と前後方向（進退方向）に隙間Ｓが設けられ、先端端面５５と規制当接部４６とを離間させている。
【００３４】
角度調整部材５０の先端側の斜面部５３と保持凹部５２との間の一側には、側方に一旦突出しそこから基端側に向けて延出され撓み変形可能に形成される係止片５６が設けられている。そして、角度調整部材５０を先端部から支持孔１４ａに挿入して取り付ける際、係止片５６は内側に可撓されて支持孔１４ａを挿通可能とされ、その後、係止片５６は弾性復帰して支持孔１４ａの周縁に係止可能となることで、角度調整部材５０の反挿入側への抜けが防止されている。また、角度調整部材５０の挿入方向においては、その先端端面５５がウォッシャノズル３０の規制当接部４６に当接することによるそれ以上の挿入方向への移動が規制され、同方向への抜けも防止されている。
【００３５】
次に、ウォッシャノズル３０の取り付けについて、ウォッシャノズル３０の後部は、後側下部当接部３５と後側弾性片３７とでカウルパネル３の装着片１９を挟み込み、該装着片１９の先端面に規制当接部３６が当接する状態で該装着片１９に対して装着される。一方、ウォッシャノズル３０の前部は、前側弾性片４１の係止突起４２（係止面４３）が装着壁部１６の係止突起２１に掛け止められて該装着壁部１６に対して装着される。また、この前側弾性片４１の弾性力により、後部側の規制当接部３６がカウルパネル３の装着片１９の先端面に押圧されるとともに、カウルパネル３の上部支持片２２に上方への移動が規制された角度調整部材５０の斜面部５３に前側上部当接部４５が押圧され、これらの押圧によりウォッシャノズル３０がノズル装着部１５にがたつきなく装着されるとともに、姿勢が自己補正される。
【００３６】
このように取り付けられたウォッシャノズル３０において、洗浄液Ｗの噴射方向の仰角方向への調整は、ボンネット２を開状態とし、作業者が角度調整部材５０を進退方向に操作することにより行われる。
【００３７】
即ち、角度調整部材５０を挿入方向に進出させると、ウォッシャノズル３０の前側上部当接部４５は、該角度調整部材５０の先端部の斜面部５３からその垂直方向への押圧力を受ける。すると、後側下部当接部３５と装着片１９との当接部分が回動支点Ｏとなり、ウォッシャノズル３０の前部が前側弾性片４１の弾性力に抗して下方に回動する。つまり、ウォッシャノズル３０の噴射方向は上方を向く。
【００３８】
一方、角度調整部材５０を反挿入方向に退避させると、前側弾性片４１の弾性力によりウォッシャノズル３０の前側上部当接部４５が角度調整部材５０の斜面部５３に接触する状態が維持され、ウォッシャノズル３０の前部が上方に回動する。つまり、ウォッシャノズル３０の噴射方向は下方を向く。そして、ウォッシャノズル３０の噴射方向が好適となる角度調整部材５０の位置にて、該角度調整部材５０の保持凹部５２と支持孔１４ａの保持凸部１４ｂとが係止されることで、角度調整部材５０の位置、即ちウォッシャノズル３０の位置が保持される。また、このように角度調整した際でも、ウォッシャノズル３０の前側弾性片４１（係止面４３）が角度調整部材５０の移動に追従して装着壁部１６の係止突起２１に係止するため、前側弾性片４１の弾性力が前記各箇所に継続的に作用することとなり、がたつかない構造となっている。
【００３９】
因みに、角度調整部材５０の先端端面５５とウォッシャノズル３０の前部側の規制当接部４６との隙間Ｓについて、角度調整部材５０が上記調整により最大退避位置に配置された場合、その隙間Ｓが最大となる。このような場合、カウルパネル３の開口部１２からウォッシャノズル３０を前方側に押し込むような外力が作用すると、ウォッシャノズル３０の前部側の規制当接部４６が角度調整部材５０の先端端面５５に当接し、それ以上の押し込み方向への移動が規制されるとともに、後側下部当接部３５及び後側弾性片３７によるカウルパネル３の装着片１９の挟持状態は維持される。つまり、このような押し込みが生じても、ウォッシャノズル３０の後部が装着片１９から脱落しないように構成されている。
【００４０】
次に、本実施の形態の特徴的な作用効果を記載する。
（１）カウルパネル３には、内側にウォッシャノズル３０が装着されるノズル装着部１５が設けられ、フロントガラス１の払拭面１ａと対向するガラス側壁部１１にウォッシャノズル３０からの洗浄液Ｗの噴射を行うための開口部１２が設けられている。これに対し、ウォッシャノズル３０は、カウルパネル３の開口部１２側に装着される後部に設けられた噴射孔３３から洗浄液Ｗを噴射するものであり、ノズル装着部１５を構成する装着片１９及び上部支持片２２に支持させるための後側下部当接部３５及び前側上部当接部４５を有している。また、このウォッシャノズル３０には、ノズル装着部１５を構成する装着壁部１６に係止されその係止部（係止突起２１）と両当接部３５，４５とにそれぞれ弾性力を付与してノズル装着部１５に弾性力を以て装着させる前側弾性片４１が設けられている。角度調整部材５０は、その前側上部当接部４５と上部支持片２２との間に介在され、その角度調整部材５０の操作に基づいて後側下部当接部３５と装着片１９との当接部分を支点Ｏとしてウォッシャノズル３０の姿勢が変更され、洗浄液Ｗの噴射方向が調整されるようになっている。つまり、ウォッシャノズル３０を支持するノズル装着部１５との間に角度調整部材５０を介在させ、その角度調整部材５０の操作に基づきノズル装着部１５に対するウォッシャノズル３０全体の姿勢を変更して洗浄液Ｗの噴射方向を調整するため、ノズルボディにノズル部を可動可能に取り付けて構成された従来のウォッシャノズルのように内部での洗浄液Ｗの流れに乱れが生じることがなく、予め設定された噴射孔３３の噴射態様（噴射角度や散開形状等）に影響を与えない。
【００４１】
（２）ウォッシャノズル３０は、後側下部当接部３５を含む後側装着部分、上部に設けられる前側上部当接部４５、及び前部に設けられる前側弾性片４１にてノズル装着部１５に装着されている。つまり、ウォッシャノズル３０の装着部分を側面視（噴射方向に対する側方視）で３箇所と少ないながらも、各装着部分を前後部及び上部とし略直方体形状をなすウォッシャノズル３０の形状に対してバランスよく配置されるため、ウォッシャノズル３０をノズル装着部１５に対して安定して装着することができる。
【００４２】
（３）角度調整部材５０は、ウォッシャノズル３０の上部に配置され同じく上部に設けた前側上部当接部４５と上部支持片２２との間に介在され、該ノズル３０における前後方向の操作に基づいてウォッシャノズル３０の姿勢を変更する構成としている。つまり、角度調整部材５０は、ウォッシャノズル３０の上部に設けた前側上部当接部４５と上部支持片２２との間に介在すべく、該ノズル３０の上部にしかも前後方向に移動可能に配置されることから、角度調整部材５０及び該調整部材５０を配置する部分を簡素に構成することができる。
【００４３】
（４）角度調整部材５０は、カウルパネル３に設けられる支持孔１４ａにて該パネル３の外側に突出させて支持され、そのカウルパネル３の外側に突出する部位（把持部５１）にて進退させることで、ウォッシャノズル３０の姿勢を変更する構成としている。これにより、角度調整部材５０のカウルパネル３の外側に突出する部位での操作は容易なことから、ウォッシャノズル３０の姿勢の変更を容易に行うことができる。尚、角度調整部材５０のカウルパネル３の外側に突出する部位は、本実施の形態ではボンネット２の内側に隠蔽して通常時では露出させないようにし、ボンネット２の開時にのみ露出させている。これにより、角度調整部材５０の誤操作が防止される。
【００４４】
（５）角度調整部材５０は、前側上部当接部４５との当接部分がその調整部材５０の移動方向に対して傾斜する斜面部５３で構成されているため、ウォッシャノズル３０（噴射方向）の角度を調整する手段を容易に形成することができる。
【００４５】
（６）角度調整部材５０の両側に設けた複数の保持凹部５２と、カウルパネル３の支持孔１４ａに設けた保持凸部１４ｂとで構成される保持手段により、角度調整部材５０が移動方向に沿って段階的に保持されるため、ウォッシャノズル３０（噴射方向）の角度の調整を容易に行うことができる。
【００４６】
（７）ウォッシャノズル３０の前側弾性片４１の係止面４３は、角度調整部材５０の移動に追従して装着壁部１６の係止突起２１と係止するため、前側弾性片４１による弾性力の付与を継続的に行うことができる。これにより、角度調整部材５０を操作して移動させても、ウォッシャノズル３０の装着状態を常に安定させることができる。
【００４７】
尚、本発明の実施の形態は、以下のように変更してもよい。
・上記実施の形態では、ウォッシャノズル３０の後部に設けられる後側下部当接部３５を含む後側装着部分、上部に設けられる前側上部当接部４５、及び前部に設けられる前側弾性片４１にて該ノズル３０をノズル装着部１５に装着したが、ウォッシャノズル３０の支持部や弾性片の形状や設ける位置、数はこれに限らず、適宜変更してもよい。
【００４８】
・上記実施の形態では、角度調整部材５０をウォッシャノズル３０の前側上部当接部４５と上部支持片２２との間に介在させたが、ウォッシャノズル３０のその他の支持部位とカウルパネル３との間に介在させ、ウォッシャノズル３０（噴射方向）の角度調整を行うようにしてもよい。
【００４９】
・上記実施の形態では、角度調整部材５０をカウルパネル３に設けられる支持孔１４ａにて該パネル３の外側に突出させて支持したが、突出方向はこれに限らず、例えばカウルパネル３の凹設部１３の下方に角度調整部材５０を突出させてもよい。
【００５０】
・上記実施の形態では、角度調整部材５０における前側上部当接部４５側に斜面部５３を設けてウォッシャノズル３０（噴射方向）の角度調整を行うようにしたが、これに限らず、例えば角度調整部材５０における上部支持片２２側に斜面部を設けてもよい。また、前側上部当接部４５や上部支持片２２側に斜面部を設けてもよい。
【００５１】
・上記実施の形態では、角度調整部材５０の両側に設けた複数の保持凹部５２とカウルパネル３の支持孔１４ａに設けた保持凸部１４ｂとで段階的に保持する保持手段を構成したが、これに限らず、例えばその凹凸関係を逆としてもよい。また、支持孔１４ａとは別の部分に保持手段を構成してもよい。また、段階的でなく連続的に角度調整部材５０を移動可能に保持する手段としてもよい。
【００５２】
・上記実施の形態では、ウォッシャノズル３０の前側弾性片４１に、角度調整部材５０の移動に追従して装着壁部１６の係止突起２１と係止する係止面４３を設けたが、装着壁部１６側にこのような係止面を設けてもよい。
【００５３】
・上記実施の形態では、ガラス側壁部１１と装着壁部１６とこれらを連結する連結壁部１７，１８とで四方を連続する壁部にて囲むようにノズル装着部１５を構成したが、この構成に限らず、例えば連結壁部１７，１８を省略してもよい。また、装着壁部１６を前側外壁部１４から延出させて別途設けているが、装着壁部１６を前側外壁部１４に一体としてもよい。
【００５４】
・上記実施の形態では、拡散噴射を行うためのノズルチップ３２を内装したウォッシャノズル３０を用いたが、ノズルチップ３２を用いずウォッシャノズル自体に噴射孔を有するものを用いてもよい。また、拡散噴射するものに限らず、洗浄液を直線状に噴射するジェット式のウォッシャノズルを用いてもよい。
【図面の簡単な説明】
【００５５】
【図１】本実施の形態におけるウォッシャノズル装着のカウルパネルを有する車両の斜視図である。
【図２】ウォッシャノズル装着部分のカウルパネル及びその周囲の側断面図である。
【図３】ウォッシャノズル装着部分のカウルパネルの拡大側断面図である。
【図４】（ａ）はウォッシャノズルの後側上方から見た斜視図であり、（ｂ）はウォッシャノズルの前側下方から見た斜視図である。
【図５】ノズル装着部の前側下方から見た斜視図である。
【図６】角度調整部材を説明するためのウォッシャノズルの前側上方から見た斜視図である。
【符号の説明】
【００５６】
１…フロントガラス、１ａ…払拭面、３…カウルパネル、１１…ガラス側壁部、１２…開口部、１４ａ…支持孔、１４ｂ…保持手段を構成する保持凸部、１５…ノズル装着部、２２…上部支持片、３０…ウォッシャノズル、３３…噴射孔、３５…第１支持部としての後側下部当接部、４１…弾性片としての前側弾性片、４３…係止面、４５…第２支持部としての前側上部当接部、５０…角度調整部材、５２…保持手段を構成する保持凹部、５３…斜面部、Ｏ…支点、Ｗ…洗浄液。
【図１】
2008155662.tif 000003
【図２】
2008155662.tif 000004
【図３】
2008155662.tif 000005
【図４】
2008155662.tif 000006
【図５】
2008155662.tif 000007
【図６】
2008155662.tif 000008